(57)【要約】      （修正有）【課題】食品用包装体を短時間に大量生産する。【解決手段】複数の載置シート１を移送路３０に沿って所定間隔毎に順次搬送し、搬送中の載置シート１が移送路３０の所定位置に到達したところで、載置シート１の略中央に向け食品Ｆが載置され、その後、食品Ｆの載置位置よりも下流側に帯状フィルム２０を移送路３０沿いに繰り出して、搬送中の載置シート１上に食品Ｆを挟んで重ね合わせ、その後、帯状フィルム２０において被覆フィルム２の外周部２ａとなる箇所を、載置シート１において食品Ｆの載置位置を囲むように配置される周縁部１ａに対し圧接させて固着するとともに、帯状フィルム２０から被覆フィルム２を打ち抜いて分離することにより、食品用包装体Ｂが一連の流れ作業で連続的に生産される。【選択図】図１
2012140143.tif 000002
【特許請求の範囲】
【請求項１】
食品が載せられる載置シートと、この載置シートとの間に食品を挟んで設けられる透明な被覆フィルムとを備えた食品用包装体を生産するための食品包装方法であって、
前記載置シートを複数それぞれ移送路に沿って所定間隔毎に順次搬送し、
搬送中の前記載置シートが前記移送路の所定位置に到達したところで、該載置シートの略中央に向け前記食品が載置され、
前記移送路において前記食品の載置位置よりも下流側に、前記被覆フィルムの原料となる帯状フィルムを該移送路沿いに繰り出して、搬送中の前記載置シート上に前記食品を挟んで重ね合わせ、
前記帯状フィルムにおいて前記被覆フィルムの外周部となる箇所を、搬送中の前記載置シートにおいて前記食品の載置位置を囲むように配置される周縁部に対し圧接させて固着するとともに、前記帯状フィルムから前記被覆フィルムとなる箇所を打ち抜いて分離したことを特徴とする食品包装方法。
【請求項２】
前記移送路の上流端に、前記載置シートの原料となる帯状シートを繰り出し、該帯状シートを所定長さ寸法に切断することで、複数の前記載置シートに分離したこと特徴とする請求項１記載の食品包装方法。
【請求項３】
前記載置シートの前記周縁部に対して前記被覆フィルムの前記外周部を熱シールしたことを特徴とする請求項１又は２記載の食品包装方法。
【請求項４】
請求項１、２又は３記載の食品包装方法の実施に使用する食品用包装装置であって、
前記載置シートを複数それぞれ所定間隔毎に順次搬送する前記移送路と、
前記移送路において前記食品の載置位置よりも下流側に設けられ、前記被覆フィルムの原料となる前記帯状フィルムを該移送路に沿って繰り出すフィルム供給手段と、
この繰り出された前記帯状フィルムにおいて前記被覆フィルムの前記外周部となる箇所を、搬送中の前記載置シートにおいて前記食品の載置位置を囲むように配置される前記周縁部に対し圧接させて固着するフィルム固着手段と、
この固着された前記帯状フィルムから前記被覆フィルムとなる箇所を打ち抜いて分離するフィルム打ち抜き手段とを備えたことを特徴とする食品用包装装置。
【請求項５】
請求項１、２又は３記載の食品包装方法で生産された食品用包装体であって、
前記載置シートの主材を不織布で構成したことを特徴とする食品用包装体。
【請求項６】
前記載置シートの主材となる不織布の外側面に遮断シートを積層したことを特徴とする請求項５記載の食品用包装体。
【発明の詳細な説明】
【技術分野】
【０００１】
本発明は、例えば魚肉や野菜などの食品を包装するために用いられる食品包装方法と、その方法の実施に直接使用する食品用包装装置と、その方法を用いて生産される食品用包装体に関する。
【背景技術】
【０００２】
従来、この種の食品包装方法としては、魚類や肉類などの食品を発泡プラスチックなどの合成樹脂製トレイに載せ、さらに透明なフィルムで被包することにより、食品用包装体を生産する方法がある。
その一例として、フィルムロールから手動により引き出したフィルムを、肉や野菜等の包装物を載せたトレイの周囲に巻回し、この巻回されたフィルムの端部をトレイの底面部に巻き込み、接着板の上に載せてフィルムの端部を接着している（例えば、特許文献１参照）。
【先行技術文献】
【特許文献】
【０００３】
【特許文献１】特開平１０−３３８２１５号公報
【発明の概要】
【発明が解決しようとする課題】
【０００４】
しかし乍ら、このような従来の食品包装方法及び食品用包装装置では、手作業により各トレイごとにフィルムを引き出してそれぞれ被包するとともにフィルム端部を接着しているため、１つの食品用包装体を生産するために手間がかかって作業性に劣り、短時間に食品用包装体を大量生産できず、コストを低減できないという問題があった。
また、このような従来の食品用包装体では、合成樹脂製トレイの側壁部が斜め上方に突出するため、トレイが嵩張って廃棄の際にコンパクトなゴミ出しができないという問題があった。
さらに、発泡プラスチック製の白色トレイは、地域により資源回収されて再生しているが、白色トレイのみをその他の有色トレイやそれ以外の廃棄物から分別して資源回収の収集場所まで運ぶことは手間がかかって面倒であるという問題もあった。
【０００５】
本発明は、このような問題に対処することを課題とするものであり、食品用包装体を短時間に大量生産可能な食品包装方法及び食品用包装装置を提供すること、発泡プラスチックなどの合成樹脂製トレイを用いずに食品を包装し且つ食品からのドリップが溜まることなく陳列販売可能な食品用包装体を提供すること、などを目的とするものである。
【課題を解決するための手段】
【０００６】
このような目的を達成するために本発明による食品包装方法は、食品が載せられる載置シートと、この載置シートとの間に食品を挟んで設けられる透明な被覆フィルムとを備えた食品用包装体を生産するための食品包装方法であって、前記載置シートを複数それぞれ移送路に沿って所定間隔毎に順次搬送し、搬送中の前記載置シートが前記移送路の所定位置に到達したところで、該載置シートの略中央に向け前記食品が載置され、前記移送路において前記食品の載置位置よりも下流側に、前記被覆フィルムの原料となる帯状フィルムを該移送路沿いに繰り出して、搬送中の前記載置シート上に前記食品を挟んで重ね合わせ、前記帯状フィルムにおいて前記被覆フィルムの外周部となる箇所を、搬送中の前記載置シートにおいて前記食品の載置位置を囲むように配置される周縁部に対し圧接させて固着するとともに、前記帯状フィルムから前記被覆フィルムとなる箇所を打ち抜いて分離したことを特徴とする。
【０００７】
さらに本発明による食品用包装装置は、前記食品包装方法の実施に使用する食品用包装装置であって、前記載置シートを複数それぞれ所定間隔毎に順次搬送する前記移送路と、前記移送路において前記食品の載置位置よりも下流側に設けられ、前記被覆フィルムの原料となる前記帯状フィルムを該移送路に沿って繰り出すフィルム供給手段と、この繰り出された前記帯状フィルムにおいて前記被覆フィルムの前記外周部となる箇所を、搬送中の前記載置シートにおいて前記食品の載置位置を囲むように配置される前記周縁部に対し圧接させて固着するフィルム固着手段と、この固着された前記帯状フィルムから前記被覆フィルムとなる箇所を打ち抜いて分離するフィルム打ち抜き手段とを備えたことを特徴とする。
【０００８】
また本発明による食品用包装体は、前記食品包装方法で生産された食品用包装体であって、前記載置シートの主材を不織布で構成したことを特徴とすることを特徴とする。
【発明の効果】
【０００９】
前述した特徴を有する本発明による食品包装方法は、複数の載置シートを移送路に沿って所定間隔毎に順次搬送し、搬送中の載置シートが移送路の所定位置に到達したところで、載置シートの略中央に向け食品が載置され、その後、食品の載置位置よりも下流側に帯状フィルムを移送路沿いに繰り出して、搬送中の載置シート上に食品を挟んで重ね合わせ、その後、帯状フィルムにおいて被覆フィルムの外周部となる箇所を、載置シートにおいて食品の載置位置を囲むように配置される周縁部に対し圧接させて固着するとともに、帯状フィルムから被覆フィルムを打ち抜いて分離することにより、食品用包装体が一連の流れ作業で連続的に生産されるので、食品用包装体を短時間に大量生産することができる。
その結果、手作業により各トレイごとにフィルムを引き出してそれぞれ被包するとともにフィルム端部を接着する必要がある従来の方法に比べ、食品用包装体を生産するために手間がかからず作業性に優れ、食品用包装体のコストを低減化することができる。
【００１０】
さらに、前述した特徴を有する本発明による食品用包装装置は、移送路で所定間隔毎に順次搬送された各載置シートに、食品が載置された後、フィルム供給手段で、帯状フィルムを移送路沿いに繰り出して、搬送中の載置シート上に食品を挟んで重ね合わせ、その後、フィルム固着手段で、帯状フィルムにおいて被覆フィルムの外周部となる箇所を、載置シートにおいて食品の載置位置を囲むように配置される周縁部に対し圧接させて固着し、その後、フィルム打ち抜き手段で、帯状フィルムから被覆フィルムを打ち抜いて分離することにより、食品用包装体が一連の流れ作業で連続的に生産されるので、簡単な構造で食品用包装体を短時間に大量生産することができる。
その結果、装置全体の小型が可能となり、狭いスペースでも食品用包装体を生産できる。
【００１１】
また、前述した特徴を有する本発明による食品用包装体は、載置シートの主材を不織布で構成することにより、食品からドリップが出たとしても、食品の下に敷設された載置シートの主材となる不織布がドリップを吸収するので、発泡プラスチックなどの合成樹脂製トレイを用いずに食品を包装し且つ食品からのドリップが溜まることなく陳列販売することができる。
その結果、発泡プラスチックなどの合成樹脂製で側壁部が斜め上方に突出するトレイを用いる従来のものに比べ、不織布が主材の載置シートや被覆フィルムは変形可能で嵩張らずに廃棄できてコンパクトにゴミ出しできるとともに、資源回収のために分別したり収集場所まで運ぶ手間もいらず、非常に便利である。
さらに、食品から出たドリップが溜まって見えないので、食品の見栄えに悪影響を与えず、商品価値の低下を防止できる。
【図面の簡単な説明】
【００１２】
【図１】本発明の実施形態に係る食品用包装装置を示す斜視図である。
【図２】本発明の実施形態に係る食品用包装体を示す斜視図であり、（ａ）が分解状態を示し、（ｂ）が完成状態を示している。
【図３】本発明の実施形態に係る食品包装方法を示すフローチャートである。
【発明を実施するための形態】
【００１３】
以下、本発明の実施形態を図面に基づいて詳細に説明する。
本発明の実施形態に係る食品用包装装置Ａは、図１〜図２（ａ）（ｂ）に示すように、食品Ｆが載せられる載置シート１と、載置シート１の内面との間に食品Ｆを挟んで設けられる透明な被覆フィルム２とを備えた食品用包装体Ｂを生産するために、載置シート１や食品Ｆなどを搬送する移送路３０などを有している。
【００１４】
移送路３０は、略水平な搬送面３０ａを有し、搬送面３０ａの具体例としては、図１に示されるようなベルトコンベヤやローラコンベヤなどのコンベヤ、又はその他の搬送手段で構成され、搬送面３０ａを連続的に作動させるか、又は搬送面３０ａを間欠的に作動させる。
【００１５】
移送路３０においてその搬送方向の上流端には、載置シート１を供給するためのシート供給手段１１が設けられる。
シート供給手段１１の具体例としては、所定形状の載置シート１を、移送路３０の上流端に順次供給し、これら載置シート１の間に所定の隙間を空けた状態で搬送面３０ａにより移送路３０の下流側へ向け順次搬送されるように自動的に作動制御することが好ましい。
【００１６】
載置シート１の原材料としては、その主材料又は全部が例えばレーヨンやポリエステルなどで、適度な腰を有する不織布が用いられ、特に保形性に優れたものを用いることが好ましい。
さらに必要に応じて、載置シート１の外側面には、例えばポリエチレン（ＰＥ）やポリプロピレン（ＰＰ）やエチレン・メチルメタクリレート共重合体（ＥＭＭＡ）などのオレフィン樹脂又はポリ塩化ビニル（ＰＶＣ）などからなる遮断シートを溶着して一体的に積層することも可能である。
【００１７】
移送路３０の搬送方向中間位置には、搬送中の載置シート１に向け食品Ｆを供給するための食品供給手段（図示しない）が設けられ、この食品供給手段によって食品Ｆが載置シート１の略中央に載置される。
食品供給手段の具体例としては、移送路３０の途中に搬送中の載置シート１を感知する光センサーなどの検知器（図示しない）が配設され、この検知器から出力される感知信号に基づいて駆動部（図示しない）を自動的に作動させることにより、搬送中の載置シート１においてその内面の略中央位置に所定量の食品Ｆが載置されるように自動制御することが好ましい。
また、その他の例として図示しないが、食品供給手段を機械化せずに、作業者が搬送中の載置シート１においてその内面の略中央位置に所定量の食品Ｆを載置することも可能である。
【００１８】
さらに、移送路３０において食品Ｆの載置位置よりも搬送方向下流側の位置には、被覆フィルム２の原料となる帯状フィルム２０を移送路３０に沿って繰り出すためのフィルム供給手段２１と、この繰り出された帯状フィルム２０において被覆フィルム２の外周部２ａとなる箇所を搬送中の載置シート１に圧接させて固着するためのフィルム固着手段２２と、固着された帯状フィルム２０から被覆フィルム２となる箇所を打ち抜いて分離するためのフィルム打ち抜き手段２３が設けられる。
【００１９】
被覆フィルム２や帯状フィルム２０の原材料としては、例えばポリエチレン（ＰＥ）やポリプロピレン（ＰＰ）やエチレン・メチルメタクリレート共重合体（ＥＭＭＡ）などのオレフィン樹脂又はポリ塩化ビニル（ＰＶＣ）などの単層品や積層品からなる、伸縮性に優れたストレッチフィルムを用いることが好ましい。
【００２０】
フィルム供給手段２１は、被覆フィルム２が連続してロール状に巻き付けられた帯状フィルム２０を、移送路３０へ向けて繰り出すための繰り出しローラや、繰り出された帯状フィルム２０を巻き取るための巻き取りローラなどを有している。
これら繰り出しローラ又は巻き取りローラのいずれか一方か、若しくは繰り出しローラ及び巻き取りローラの両方には、駆動部（図示しない）が設けられ、この駆動部の作動により、帯状フィルム２０を移送路３０と略平行に繰り出して、搬送中の載置シート１との間に食品Ｆを挟んで対向させるように構成される。
この状態で、帯状フィルム２０と載置シート１との間に、ある程度の高さを有する食品Ｆを挟み込む場合には、載置シート１において食品Ｆの載置位置を囲むように配置される周縁部１ａに対し、帯状フィルム２０において被覆フィルム２の外周部２ａとなる箇所を接近させるには、帯状フィルム２０が持つ伸縮性を利用することが好ましい。
さらに、図１に示されるように、帯状フィルム２０の少なくとも左右幅方向両端部と当接する、例えばテンションローラなどからなるガイドローラ２１ａを配設して、帯状フィルム２０の左右幅方向両端部が載置シート１の周縁部１ａに向けて誘導されるように構成することが好ましい。
【００２１】
フィルム固着手段２２は、搬送中の載置シート１の周縁部１ａと対向する額縁形状に形成され、この額縁部２２ａを帯状フィルム２０及び搬送中の載置シート１へ向けて移動させる手段（図示しない）として、エアシリンダや油圧シリンダ又はその他のアクチュエータなどからなる駆動部を有している。
さらに、フィルム固着手段２２は、駆動部の作動により、額縁部２２ａを移送路３０の搬送面３０ａへ向け接近移動させて搬送面３０ａとの間に、帯状フィルム２０において被覆フィルム２の外周部２ａとなる箇所と載置シート１の周縁部１ａを所定圧力で挟み込み、これら両者を熱シールや接着剤などによって接着するように構成される。特に、搬送面３０ａを連続的に作動している場合には、前記接近移動と同時に、額縁部２２ａを移送路３０における搬送面３０ａの移動速度と同じ速度で同方向へ移動させる必要がある。
被覆フィルム２の外周部２ａと載置シート１の周縁部１ａを熱シールする場合には、額縁部２２ａが熱シール用ヒータで構成される。
また、被覆フィルム２の外周部２ａと載置シート１の周縁部１ａを接着剤によって接着する場合には、被覆フィルム２の外周部２ａと載置シート１の周縁部１ａとの間に接着剤を充填するための手段が備えられる。
【００２２】
フィルム打ち抜き手段２３は、フィルム固着手段２２と一体的に配備するか又は別個に配備され、フィルム固着手段２２による被覆フィルム２及び載置シート１の固着部分の外周を切断する溶断用ヒータやカッタなどで構成される。
フィルム打ち抜き手段２３が溶断用ヒータである場合には、フィルム固着手段２２の溶着用ヒータによりも若干突出させて、フィルム固着手段２２のヒータによる熱シールと同時又は熱シール後に、その外周を溶断する。
フィルム打ち抜き手段２３がカッタである場合には、フィルム固着手段２２の熱シール用ヒータに対しカッタを出没動自在に取り付けて、フィルム固着手段２２のヒータによる熱シール後にヒータを突出させて切断する。
【００２３】
そして、フィルム供給手段２１、フィルム固着手段２２及びフィルム打ち抜き手段２３は、前述した食品供給手段の具体例と同様に、搬送中の載置シート１を光センサーなどの検知器（図示しない）で感知し、それから出力される感知信号に基づいてそれぞれ自動的に作動制御することが好ましい。
また、その他の例として図示しないが、作業者の操作に基づいてフィルム供給手段２１、フィルム固着手段２２及びフィルム打ち抜き手段２３を同期して作動させたり、作業者の操作に基づいてフィルム供給手段２１、フィルム固着手段２２及びフィルム打ち抜き手段２３をそれぞれ個別に作動させことも可能である。
【００２４】
そして、本発明の実施形態に係る食品用包装装置Ａによる食品用包装体Ｂを生産するための食品包装方法は、図３に示すフローチャートのように、移送路３０に沿って複数の載置シート１を所定間隔毎に順次搬送するシート搬送工程と、搬送中の載置シート１の略中央に向け食品Ｆを載置する食品載置工程と、被覆フィルム２の原料となる帯状フィルム２０を移送路３０沿いに繰り出して搬送中の載置シート１上に食品Ｆを挟んで重ね合わせるフィルム供給工程と、帯状フィルム２０において被覆フィルム２の外周部２ａとなる箇所を、搬送中の載置シート１において食品Ｆの載置位置を囲むように配置される周縁部１ａに対し圧接させて固着するフィルム固着工程と、帯状フィルム２０から被覆フィルム２となる箇所を打ち抜いて分離するフィルム打ち抜き工程を含んでいる。
【００２５】
このような本発明の実施形態に係る食品包装方法及び食品用包装装置Ａによると、先ず、複数の載置シート１が移送路３０の略水平な搬送面３０ａに沿って所定間隔毎に順次搬送され、搬送中の載置シート１が移送路３０の所定位置に到達したところで、食品供給手段又は作業者により、載置シート１の略中央に向け食品Ｆが載置される。
これに続いて、食品Ｆの載置位置よりも下流側で、フィルム供給手段２１により、被覆フィルム２の原料となる帯状フィルム２０が移送路３０に沿って繰り出され、搬送中の載置シート１上に食品Ｆを挟んで重ね合わされる。
【００２６】
その後、フィルム固着手段２２により、帯状フィルム２０において被覆フィルム２の外周部２ａとなる箇所が、載置シート１において食品Ｆの載置位置を囲むように配置される周縁部１ａに対し、圧接されて固着する。
この際、熱シールや接着剤などによって、被覆フィルム２の外周部２ａとなる箇所と載置シート１の周縁部１ａとを接着すれば、両者は密封されて食品Ｆは外気と遮断される。
さらに、被覆フィルム２や帯状フィルム２０の原材料としてストレッチフィルムを用いた場合には、食品Ｆがある程度の高さを有して盛り上がったものであっても、ストレッチフィルムが伸びて、食品Ｆを圧迫変形させることなく包装できる。
【００２７】
その後、フィルム打ち抜き手段２３により、帯状フィルム２０から被覆フィルム２が打ち抜かれて分離される。
それ以降は、前述した作動が繰り返される。
それにより、食品用包装体Ｂが一連の流れ作業で連続的に生産される。
したがって、本発明の実施形態に係る食品包装方法は、食品用包装体Ｂを短時間に大量生産することができる。
さらに、本発明の実施形態に係る食品用包装装置Ａは、簡単な構造で食品用包装体Ｂを短時間に大量生産することができる。
【００２８】
また、本発明の実施形態に係る食品用包装体Ｂは、図２（ａ）（ｂ）に示すように、載置シート１の主材を不織布で構成し、載置シート１の主材となる不織布の外側面に遮断シート１ｂを積層することが好ましい。
【００２９】
このような食品用包装体Ｂによると、載置シート１の主材を不織布で構成されるため、適度な腰を有して食品Ｆの保形性に優れる。さらに、食品Ｆが例えば魚肉などのようなドリップが滲み出る可能性があるものであっても、食品Ｆから出たドリップを載置シート１の主材となる不織布が吸収して、遮断シート１ｂで外部へ透過しない。
それにより、載置シート１からのドリップの漏れ出しを防止することができる。
したがって、発泡プラスチックなどの合成樹脂製トレイを用いずに食品Ｆを包装し且つ食品Ｆからのドリップが溜まることなく陳列販売することができる。
特に、載置シート１の主材となる不織布の外側面に遮断シート１ｂを積層した場合には、食品Ｆから出たドリップを載置シート１の主材となる不織布が吸収しても、遮断シート１ｂで外部へ透過しない。
それにより、載置シート１からのドリップの漏れ出しを防止することができる。
その結果、ドリップの漏れ出しによって、それに接触したものが汚れることがなく、更にドリップの臭気が漏れ出ることも防止できる。
また、その他の例として図示しないが、食品Ｆが例えば野菜などのような密封包装を嫌うものの場合には、載置シート１（遮断シート１ｂが積層される場合には遮断シート１ｂを含めて）又は被覆フィルム２のいずれか一方、若しくは載置シート１（遮断シート１ｂが積層される場合には遮断シート１ｂを含めて）及び被覆フィルム２の両方に、複数の通気孔を貫通開穿することも可能である。
次に、本発明の一実施例を図面に基づいて説明する。
【実施例】
【００３０】
この実施例は、図１に示すように、シート供給手段１１として、移送路３０の搬送方向上流端に、載置シート１の原料となる帯状シート１０を繰り出し、帯状シート１０を所定長さ寸法に切断することで、複数の載置シート１に分離したものである。
【００３１】
図１に示される例では、帯状シート１０を移送路３０の搬送面３０ａへ向けそれと略平行に繰り出し、カッター１１ａで所定長さ寸法に切断することにより、平滑な載置シート１に分離されるとともに、これら分離した平滑な載置シート１を移送路３０の上流端に載せるとともに、分離した載置シート１の間に所定の隙間を空けた状態で搬送面３０ａにより移送路３０の下流側へ向け順次搬送されるように自動的に作動制御している。
また、その他の例として図示しないが、予め所定の形状に裁断された載置シート１を一枚ずつ、移送路３０の上流端に順次供給し、これら載置シート１の間に所定の隙間を空けた状態で搬送面３０ａにより移送路３０の下流側へ向け順次搬送されるように自動的に作動制御することも可能である。
【００３２】
さらに、図１に示される例では、フィルム固着手段２２として、搬送中の載置シート１の周縁部１ａに対し被覆フィルム２の外周部２ａを熱シールすることで両者を固着している。
つまり、フィルム固着手段２２の額縁部２２ａが熱シール用ヒータで構成されている。
また、その他の例として図示しないが、フィルム固着手段２２として、被覆フィルム２の外周部２ａと載置シート１の周縁部１ａを接着剤によって接着することも可能である。
図１に示される例では、フィルム固着手段２２とフィルム打ち抜き手段２３を一体化しているが、フィルム固着手段２２とフィルム打ち抜き手段２３を別個にしたり、搬送される複数の載置シート１と対向して、フィルム固着手段２２とフィルム打ち抜き手段２３を複数組み配設することも可能である。
またさらに、図１に示される例では、移送路３０の搬送面３０ａ上に、シート搬送工程とフィルム供給工程においてそれぞれ複数の載置シート１を配置しているが、シート搬送工程とフィルム供給工程において載置シート１を１つずつ配置して、移送路３０の搬送方向へ短縮化することも可能である。
【００３３】
このような本発明の実施例に係る食品包装方法及び食品用包装装置Ａによると、繰り出された帯状シート１０を所定長さ寸法に切断することにより、複数の載置シート１に分離され、それらの間に所定の隙間を空けたままの状態で搬送される。
それにより、移送路３０に載置シート１を自動的にセットすることができるという利点がある。
その結果、省力化が図れ、作業者を減らすことができ、食品用包装体Ｂのコストを更に低減化できる。
【００３４】
さらに、載置シート１の周縁部１ａに対して被覆フィルム２の外周部２ａを熱シールした場合には、載置シート１と被覆フィルム２の間に食品Ｆが気密状に収容される。
それにより、食品Ｆを隙間なくパックすることができるという利点がある。
その結果、食品Ｆを簡単でしかも確実にパックできる。
【００３５】
また、移送路３０の搬送面３０ａ上に、シート搬送工程とフィルム供給工程において載置シート１を１つずつ配置して移送路３０の搬送方向へ短縮化した場合には、食品用包装装置Ａの全体を更にコンパクト化でき、狭い作業スペースでも設置できる。さらに、移送路３０の搬送面３０ａを間欠的に作動させることで、包装の作業が簡単になって作業し易いという利点もある。
【００３６】
なお、前示実施例では、シート供給手段１１として、移送路３０の搬送方向上流端に、載置シート１の原料となる帯状シート１０を繰り出し、帯状シート１０を所定長さ寸法に切断することで、複数の載置シート１に分離したが、これに限定されず、シート供給手段１１を機械化せずに、作業者が予め裁断された載置シート１を、移送路３０の搬送面３０ａ上に、各載置シート１の間に所定の隙間が開くように載置しても良い。
さらに、載置シート１の形状は、図示例のような平滑なものに限定されず、簡単な手作業で平滑状に解体可能であれば、トレイ状に型成形することも可能である。また必要に応じて、載置シート１と被覆フィルム２の間に枠材や支柱などを食品Ｆと一緒に包装することで食品Ｆの潰れや変形を防止することも可能である。
【符号の説明】
【００３７】
Ａ  食品用包装装置                    Ｂ  食品用包装体
１  載置シート                        １ａ  周縁部
１ｂ  遮断シート                      １０  帯状シート
２  被覆フィルム                      ２ａ  外周部
２０  帯状フィルム                    ２１  フィルム供給手段
２２  フィルム固着手段                ２３  フィルム打ち抜き手段
３０  移送路                          Ｆ  食品
【図１】
2012140143.tif 000003
【図２】
2012140143.tif 000004
【図３】
2012140143.tif 000005